(57)【特許請求の範囲】
【請求項１】
画像を表示する指示を受け付ける受付手段と、
表示部の表示を制御する表示制御手段と、
画像処理装置と通信する第１の通信手段と、
前記画像処理装置から転送された画像を格納する記憶領域を有する記憶装置と通信する第２の通信手段と、
前記第１の通信手段によって通信を確立した画像処理装置を識別する識別手段と、
前記受付手段により画像を表示する指示を受け付けた際に前記第１の通信手段で画像処理装置と通信している場合、前記第２の通信手段は、前記第１の通信手段で通信している画像処理装置が有する画像のうち、既に前記記憶装置に記憶されている画像を前記記憶装置から受信し、前記表示制御手段は、当該受信した画像を前記表示部に表示することを特徴とする画像表示制御装置。
【請求項２】
前記受付手段により画像を表示する指示を受け付けた際に前記第１の通信手段で画像処理装置と通信している場合、前記第１の通信手段は、前記第１の通信手段で通信している画像処理装置が有する画像のうち、まだ転送されていない画像を前記画像処理装置から受信し、前記表示制御手段は、前記第１の通信手段により受信した画像も前記表示部に表示することを特徴とする請求項１に記載の画像表示制御装置。
【請求項３】
前記表示制御手段は、前記第１の通信手段により受信した画像と前記第２の通信手段により受信した画像とを一画面中にともに表示することを特徴とする請求項１または２に記載の画像表示制御装置。
【請求項４】
前記表示制御手段は、前記第１の通信手段により受信した画像と前記第２の通信手段により受信した画像とを識別可能に表示することを特徴とする請求項３に記載の画像表示制御装置。
【請求項５】
前記表示制御手段は、前記第１の通信手段により受信した画像と前記第２の通信手段により受信した画像とを切り替えて表示することを特徴とする請求項１または２に記載の画像表示制御装置。
【請求項６】
前記第１の通信手段により通信した画像処理装置を登録する登録手段をさらに有し、
前記受付手段により画像を表示する指示を受け付けた際に、前記登録手段により登録済みの画像処理装置と前記第１の通信手段で通信している場合、前記表示制御手段は、前記画像処理装置を識別する情報を前記画像とともに前記表示部に表示し、
前記受付手段により画像を表示する指示を受け付けた際に、前記登録手段により登録していない画像処理装置と前記第１の通信手段で通信している場合、前記表示制御手段は、前記画像処理装置を識別する情報を前記画像とともに前記表示部に表示しないことを特徴とする請求項１乃至５のいずれか一項に記載の画像表示制御装置。
【請求項７】
前記画像表示制御装置は、前記画像処理装置を載せるためのクレードルであることを特徴とする請求項１乃至６のいずれか一項に記載の画像表示制御装置。
【請求項８】
前記画像処理装置は、撮像装置であることを特徴とする請求項１乃至７のいずれか一項に記載の画像表示制御装置。
【請求項９】
前記第２の通信手段は、前記記憶装置と無線で通信することを特徴とする請求項１乃至８のいずれか一項に記載の画像表示制御装置。
【請求項１０】
画像処理装置と、前記画像処理装置から転送された画像を格納する記憶領域を有する記憶装置と通信可能な装置の制御方法であって、
画像を表示する指示を受け付ける受付ステップと、
前記受付ステップで画像を表示する指示を受け付けた際に前記画像処理装置と通信している場合、前記通信している画像処理装置が有する画像のうち、既に前記記憶装置に記憶されている画像を前記記憶装置から受信する受信ステップと、
前記受信ステップで受信した画像を表示部に表示する表示ステップとを有する画像表示制御方法。
【請求項１１】
コンピュータを、請求項１乃至９のいずれか一項に記載の画像表示制御装置の各手段として機能させるコンピュータが実行可能なプログラム。
【発明の詳細な説明】
【技術分野】
【０００１】
本発明は、画像を管理して表示部に表示する画像表示制御装置、画像表示制御方法、およびプログラムに関する。
【背景技術】
【０００２】
ネットワーク上に画像を管理するいわゆるオンラインアルバムと呼ばれるストレージサービスが知られている。
【０００３】
また、ＤＬＮＡ等のプロトコルを用いて、いわゆるＰＣレスの環境でネットワーク上にある画像等のコンテンツにアクセスすることを可能にするネットワークコンテンツアクセスサービスが提案されている。このネットワークコンテンツアクセスサービスでは、オンラインアルバムで管理する画像コンテンツをＤＬＮＡ対応のテレビで閲覧することが可能である。
【０００４】
一方、クレードルに接続された撮像装置のＩＤを識別することによって複数の撮像装置がクレードルにセットされても、ＩＤ毎にクレードル内の画像データ記憶領域に画像データを記録、管理することを可能とするシステムが開示されている（特許文献１）。
【特許文献１】特開２００３−３３８９７６号公報
【発明の開示】
【発明が解決しようとする課題】
【０００５】
上述したネットワークコンテンツアクセスサービスでは、閲覧対象のコンテンツが膨大なため、ネットワーク上のコンテンツの中から閲覧者が所望のコンテンツを選び出すことが困難である。
【０００６】
一方、上述した特許文献１では、クレードル内の記憶装置に格納された複数の撮像装置から転送された画像をクレードルの持つ表示装置に表示するだけであるため、ネットワーク上の外部記憶装置の記憶領域に格納された画像を表示することができない。
【０００７】
そこで、本発明は、画像処理装置の識別結果に基づいて、記憶装置に格納された画像の中から所望の画像を表示部に表示可能な仕組みを提供することを目的とする。
【課題を解決するための手段】
【０００８】
上記目的を達成するために、本発明の画像表示制御装置は、画像を表示する指示を受け付ける受付手段と、表示部の表示を制御する表示制御手段と、画像処理装置と通信する第１の通信手段と、前記画像処理装置から転送された画像を格納する記憶領域を有する記憶装置と通信する第２の通信手段と、前記第１の通信手段によって通信を確立した画像処理装置を識別する識別手段と、前記受付手段により画像を表示する指示を受け付けた際に前記第１の通信手段で画像処理装置と通信している場合、前記第２の通信手段は、前記第１の通信手段で通信している画像処理装置が有する画像のうち、既に前記記憶装置に記憶されている画像を前記記憶装置から受信し、前記表示制御手段は、当該受信した画像を前記表示部に表示することを特徴とする。
【発明の効果】
【００１１】
本発明によれば、画像処理装置の識別結果に基づいて、記憶装置に格納された画像の中から所望の画像を表示部に表示することができる。
【発明を実施するための最良の形態】
【００１２】
以下、本発明の実施形態を図面を参照して説明する。
【００１３】
（第１の実施形態）
図１は、本実施形態における画像表示制御装置の一例であるクレードルを説明するための説明図である。
【００１４】
図１に示すように、クレードル１０１には、画像処理装置の一例であるデジタルカメラ（撮像装置）１０２がセットされている。デジタルカメラ１０２は、クレードル１０１に対して着脱可能とされており、セットされている状態では不図示のコネクタ等を介してクレードル１０１に電気的に接続される。
【００１５】
クレードル１０１と、表示装置の一例であるテレビジョン１０３とは、コンポジット，Ｓ端子，Ｄ端子等のアナログ信号用又はＨＤＭＩ等のデジタル信号用のケーブル１１５を介して接続されている。また、クレードル１０１は、アンテナ１１４を介して無線ＬＡＮ等のネットワーク上の外部記憶装置１０４に接続されている。
【００１６】
クレードル１０１は、表示ボタン１１１、登録ボタン１１２、転送ボタン１１３を備えており、登録ボタン１１２及び転送ボタン１１３にはＬＥＤが組み込まれて、点灯可能とされている。これらのボタンの役割については後述する。
【００１７】
次に、図２を参照して、クレードル１０１の内部構成について説明する。
【００１８】
図２において、システムバス２０１は、各回路ブロック間の高速なデータ転送を実現する。ＤＭＡコントローラ２０２は、システムバス２０１を介してそれぞれのブロック間におけるデータ転送を高速に行う。ＤＲＡＭ２０３は、主記憶領域として機能し、フラッシュＲＯＭ２０４は、ファームウエアプログラムの格納等に使用される。
【００１９】
ＣＰＵ２０５は、フラッシュＲＯＭ２０４よりファームウエアプログラムをＤＲＡＭ２０３にロードして、装置全体の制御を実行する。信号入出力部２０９は、各種ＬＥＤ出力、ボタン入力、およびリモコン入力等に用いられる。表示制御部２０６は、表示出力部２１０より表示装置であるテレビジョン１０３へ出力するための画像データを生成する。表示出力部２１０は、表示制御部２０６によって生成された画像データをテレビジョン１０３へ出力する。
【００２０】
カメラ通信制御部２０７は、通信コネクタ２１１に接続されたデジタルカメラ１０２との間でＵＳＢプロトコルを用いた通信の制御を行う。ネットワーク通信制御部２０８は、外部記憶装置１０４と接続するためのＩＥＥＥ８０２．１１ｇ等の規格に準拠した無線ＬＡＮ等のプロトコルを制御し、アンテナ１１４を介してネットワークへの接続を実現する。このように、本実施形態におけるクレードル１０１は、第１の通信手段と第２の通信手段という２つの通信手段を有することで、複数の機器と通信することが可能である。
【００２１】
次に、図３を参照して、クレードル１０１を制御するソフトウェアの構成について説明する。なお、クレードル１０１の制御ソフトウェアは、フラッシュＲＯＭ２０４よりファームウエアプログラムをＤＲＡＭ２０３にロードすることにより、ＣＰＵ２０５上で動作する。
【００２２】
図３において、クレードル制御部３０１は、クレードル１０１全体の制御を行う。登録カメラ管理部３０２は、登録済みのデジタルカメラ１０２のカメラＩＤを管理する、登録管理機能を有する。接続カメラ管理部３０３は、クレードル１０１にセットされているデジタルカメラ１０２のカメラＩＤ、カメラ内部の画像一覧、カメラ内部の未転送画像一覧等の情報を保持し、カメラ内部の内部画像管理を行う機能を有する。
【００２３】
外部画像管理部３０４は、外部記憶装置１０４の記憶領域に格納されている画像の属性情報を管理する。表示画像管理部３０５は、テレビジョン１０３に表示する画像の一覧、及び画像の順序等を管理する。ＴＣＰ／ＩＰ制御部３０６は、外部装置と通信するためのＴＣＰ／ＩＰ、ＦＴＰ、ＨＴＴＰと言ったプロトコルを制御する。  無線ＬＡＮドライバ３１１は、無線ＬＡＮコントローラ３２１を制御して８０２．１１ｇ等の無線ＬＡＮ通信を実現する。ＰＴＰ制御部３０７は、クレードル１０１にセットされたデジタルカメラ１０２と通信するためのＰＴＰプロトコルを制御する。ＵＳＢドライバ３１２は、ＵＳＢコントローラ３２２を制御して、ＵＳＢホスト機能を実現する。
【００２４】
画像表示制御部３０８は、テレビジョン１０３に表示する画像データを生成し、ビデオドライバ３１３を用いて画像信号を生成する。ＧＵＩ制御部３０９は、テレビジョン１０３に表示するＧＵＩ表示データを生成し、ビデオドライバ３１３を制御して表示画像信号を生成する。
【００２５】
ビデオドライバ３１３は、ビデオコントローラ３２３を制御し、テレビジョン１０３に出力する映像信号を生成する。入出力部３１０は、ＬＥＤドライバ３１４、Ｋｅｙドライバ３１５等で構成される。ＰＩＯ３２４は、ＣＰＵ２０５のポートであり、リモコン（リモートコントローラ）入力、Ｋｅｙ入力等の信号入力、及びＬＥＤ表示制御等の信号出力のために用いられる。
【００２６】
なお、クレードル１０１のハードウェア構成は図３に示すものに限定されない。例えば、各制御部の機能を１つのハードウェアで実現してもよいし、複数の制御部で役割分担しながら各部を制御してもよい。
【００２７】
次に、図４を参照して、クレードル１０１を操作するリモコンの一例を説明する。
【００２８】
図４に示すように、リモコン４００には、消去ボタン４０１、終了ボタン４０２、上キー４０３、左キー４０４、決定キー４０５、右キー４０６、下キー４０７、表示キー４０８、登録キー４０９、転送キー４１０が配置される。
【００２９】
消去ボタン４０１は、選択中の画像を記憶領域から消去するために使用される。終了ボタン４０２は、クレードル１０１による画像表示出力を終了するために使用される。上キー４０３、左キー４０４、右キー４０６、下キー４０７は、カーソル移動のために使用される。表示キー４０８、登録キー４０９、転送キー４１０は、それぞれクレードル１０１に配置されている表示ボタン１１１、登録ボタン１１２、転送ボタン１１３と同様の目的のために使用される。
【００３０】
次に、図５を参照して、クレードル制御部３０１の処理例について説明する。
【００３１】
まず、クレードル制御部３０１は、デジタルカメラ１０２の未接続状態から動作を開始する（ステップＳ５００）。カメラ未接続状態では、カメラ接続検出イベント（ステップＳ５０１）と表示ボタン押下イベント（ステップＳ５０２）とを受け付ける。
【００３２】
カメラ未接続の状態で、表示ボタン押下イベントを受け付けると（ステップＳ５０２）、クレードル制御部３０１は、外部画像表示処理を実施する（ステップＳ５０３）。なお、ステップＳ５０３の外部画像表示処理の詳細については後述する。外部画像表示処理を完了すると処理を終了する。
【００３３】
カメラ未接続の状態で、デジタルカメラ１０２が接続されると、クレードル制御部３０１は、カメラ接続検出イベントを受け付け（ステップＳ５０１）、ステップＳ５０４へ遷移する。ステップＳ５０４では、クレードル制御部３０１は、接続されたデジタルカメラ１０２のカメラＩＤを取得し、登録カメラ管理部３０２に登録済みカメラのカメラＩＤか否かを問い合わせる。そして、未登録カメラと判定された場合は、ステップＳ５０５へ遷移し、登録済みカメラと判定された場合は、ステップＳ５０６へ遷移する。
【００３４】
ステップＳ５０６では、クレードル制御部３０１は、ＰＴＰ制御部３０７を用いてデジタルカメラ１０２内部のＳＤカード等の記憶領域に格納されている画像一覧を取得し、接続カメラ管理部３０３に格納する。また、クレードル制御部３０１は、接続カメラ管理部３０３に対して未転送画像があるか否かを問い合わせる。そして、未転送画像がある場合は、ステップＳ５２０へ遷移し、未転送画像がない場合は、ステップＳ５１０へ遷移する。
【００３５】
ステップＳ５１０は、登録済みのデジタルカメラが接続されていて、カメラ内部の記憶領域に未転送画像がない状態を示している。この状態では、クレードル制御部３０１は、転送済み画像を表示するために表示ボタン押下のイベントを受け付ける。表示ボタン押下のイベントを受け付けると（ステップＳ５１２）、クレードル制御部３０１は、外部画像表示処理を実施する（ステップＳ５１３）。ステップＳ５１３の外部画像表示処理の詳細については後述する。外部画像表示処理を完了すると処理を終了する。
【００３６】
ステップＳ５２０は、登録済みのデジタルカメラ１０２が接続されていて、カメラ内部の記憶領域に未転送画像がある状態を示している。ステップＳ５２１で、クレードル制御部３０１は、未転送画像を転送するためのボタンを有効とし、転送ボタン１１３を点灯させる。この状態では、クレードル制御部３０１は、カメラ内部の記憶領域にある画像を外部記憶装置１０４に転送するための転送ボタン押下のイベント、及び転送済み画像を表示するための表示ボタン押下のイベントを受け付ける。
【００３７】
転送ボタン押下のイベントを受け付けると（ステップＳ５２５）、クレードル制御部３０１は、カメラ内画像転送処理を実施する（ステップＳ５２６）。ステップＳ５２６のカメラ内画像転送処理の詳細については後述する。カメラ内画像転送処理を完了すると、ステップＳ５１０の状態へ遷移する。
【００３８】
表示ボタン押下のイベントを受け付けると（ステップＳ５２２）、クレードル制御部３０１は、カメラ内画像と外部画像の表示処理を実施する（ステップＳ５２３）。ステップＳ５２３のカメラ内画像と外部画像の表示処理の詳細については後述する。カメラ内画像と外部画像の表示処理を完了すると処理を終了する。
【００３９】
一方、ステップＳ５０５では、クレードル制御部３０１は、ＰＴＰ制御部３０７を用いてデジタルカメラ１０２内部のＳＤカード等の記憶領域に格納されている画像一覧を取得し、接続カメラ管理部３０３に格納する。また、クレードル制御部３０１は、接続カメラ管理部３０３に対して未転送画像があるか否かを問い合わせる。そして、カメラ内部の記憶領域に未転送画像がある場合は、ステップＳ５３０へ遷移し、カメラ内部の記憶領域に未転送画像がない場合は、ステップＳ５４０へ遷移する。
【００４０】
ステップＳ５４０は、未登録のデジタルカメラ１０２が接続されていて、カメラ内部の記憶領域に未転送画像がない状態を示している。ステップＳ５４１で、クレードル制御部３０１は、未登録カメラを登録するためのボタンを有効とし、登録ボタン１１２を点灯させる。この状態では、クレードル制御部３０１は、登録ボタン押下のイベントを受け付ける。登録ボタン押下のイベントを受け付けると（ステップＳ５４２）、クレードル制御部３０１は、カメラ登録処理を実施する（ステップＳ５４３）。ステップＳ５４３のカメラ登録処理の詳細については後述する。カメラ登録処理を完了すると処理を終了する。
【００４１】
ステップＳ５３０は、未登録のデジタルカメラ１０２が接続されていて、カメラ内部の記憶領域に未転送画像がある状態を示している。ステップＳ５４１で、クレードル制御部３０１は、未登録カメラを登録するためのボタンを有効とし、登録ボタン１１２を点灯させる。この状態では、クレードル制御部３０１は、登録ボタン押下のイベント、及びカメラの内部記憶領域にある画像を表示するための表示ボタン押下のイベントを受け付ける。
【００４２】
そして、登録ボタン押下のイベントを受け付けると（ステップＳ５３２）、クレードル制御部３０１は、カメラ登録処理を実施する（ステップＳ５３３）。ステップＳ５３３のカメラ登録処理の詳細については後述する。カメラ登録処理を完了するとステップＳ５２０の状態へ遷移する。
【００４３】
一方、表示ボタン押下のイベントを受け付けると（ステップＳ５３５）、クレードル制御部３０１は、カメラ内画像表示処理を実施する（ステップＳ５３６）。ステップＳ５３６のカメラ内画像表示処理の詳細については後述する。カメラ内画像表示処理を完了するとステップＳ５４０の状態へ遷移する。
【００４４】
＜カメラ登録処理＞
次に、図６を参照して、クレードル制御部３０１によるカメラ登録処理について説明する。図６において、ステップＳ６００のカメラ登録処理は、図５のステップＳ５３３及びステップＳ５４３におけるカメラ登録処理の詳細を表している。
【００４５】
まず、クレードル制御部３０１は、登録処理中であることを示すために登録ボタン１１２を点滅表示させる（ステップＳ６０１）。次に、クレードル制御部３０１は、現在クレードル１０１にセットされているデジタルカメラ１０２のカメラＩＤを接続カメラ管理部３０３より取得し（ステップＳ６０２）、登録カメラ管理部３０２に対して登録する（ステップＳ６０３）。登録が完了すると、クレードル制御部３０１は、登録ボタン１１２を消灯させ（ステップＳ６０４）、処理を終了する。以上がカメラ登録処理である。
【００４６】
＜カメラ内画像転送処理＞
次に、図７を参照して、クレードル制御部３０１によるカメラ内画像転送処理について説明する。図７において、ステップＳ７００のカメラ内画像転送処理は図５のステップＳ５２６における処理の詳細を表している。
【００４７】
まず、クレードル制御部３０１は、転送処理中であることを示すために転送ボタン１１３を点滅表示させる（ステップＳ７０１）。次に、クレードル制御部３０１は、接続カメラ管理部３０３より未転送画像のエントリを取得する（ステップＳ７０２）。次に、クレードル制御部３０１は、取得したエントリの画像ファイルをＰＴＰ制御３０７を用いてカメラ内部の記憶領域から取得する（ステップＳ７０６）。次に、クレードル制御部３０１は、取得した画像ファイルをＴＣＰ／ＩＰ制御部３０６を使用してＦＴＰプロトコル等を用いて外部記憶装置１０４に画像ファイルを転送する（ステップＳ７０７）。
【００４８】
次に、クレードル制御部３０１は、転送した画像ファイルのエントリを外部画像管理部３０４に登録する（ステップＳ７０８）。次に、クレードル制御部３０１は、転送した画像ファイルのエントリを未転送から転送済みにするために、接続カメラ管理部３０３の未転送画像リストを更新する（ステップＳ７０９）。次に、クレードル制御部３０１は、接続カメラ管理部３０３に対して、未転送画像がまだあるか否かを問い合わせる（ステップＳ７１０）。
【００４９】
そして、未転送画像がまだある場合は、ステップＳ７０２へ遷移し、転送画像が全てなくなるまでステップＳ７０２からステップＳ７０９までの処理を繰り返す。未転送画像がなくなったら、クレードル制御部３０１は、転送ボタン１１３を消灯し（ステップＳ７１１）、処理を終了する。以上がカメラ内画像転送処理である。
【００５０】
＜外部画像表示処理（カメラ接続状態）＞
次に、図８を参照して、クレードル制御部３０１によるカメラ接続状態での外部画像表示処理について説明する。図８において、ステップＳ８００の外部画像表示処理は、図５のステップＳ５１３における処理の詳細を表している。
【００５１】
まず、クレードル制御部３０１は、現在クレードル１０１にセットされているデジタルカメラ１０２のカメラＩＤを接続カメラ管理部３０３より取得する（ステップＳ８０１）。次に、クレードル制御部３０１は、取得したカメラＩＤをキーにして外部画像管理部３０４より当該カメラの画像一覧を取得する（ステップＳ８０２）。次に、クレードル制御部３０１は、取得した当該カメラの画像一覧から、ＴＣＰ／ＩＰ制御部３０６を用いてアクセス可能な画像を確認し、表示画像リストを作成する（ステップＳ８０３）。
【００５２】
次に、クレードル制御部３０１は、ＧＵＩ制御部３０９を用いて、画面表示のレイアウトを構築し、表示対象画像を決定する（ステップＳ８０４）。そして、クレードル制御部３０１は、表示対象画像の画像データをＴＣＰ／ＩＰ制御部３０６を用いて取得する（ステップＳ８０５）。例えば、３×３の表示であれば９枚の画像を表示対象画像とし、この９枚の画像を取得する。
【００５３】
次に、クレードル制御部３０１は、取得した表示画像データを、画像表示制御部３０８を用いて表示すると共に、ＧＵＩ制御部３０９を用いてＧＵＩの表示も行う（ステップＳ８０６）。ここで、クレードル制御部３０１は、外部イベント待ち状態となる（ステップＳ８０７）。
【００５４】
この状態では、クレードル制御部３０１は、カーソル移動イベント（ステップＳ８０８）及び終了イベント（ステップＳ８１１）を受け付ける。カーソル移動イベントは、不図示のカーソルボタン（又はリモコン４００のカーソルキー）の押下を検知することにより入出力部３１０より発行される。終了イベントは、リモコン４００の終了ボタン４０２の押下、または、クレードル１０１にセットされているデジタルカメラ１０２の取り外し、などを検知することにより入出力部３１０より発行される。
【００５５】
カーソル移動イベントを受け付けると（ステップＳ８０８）、クレードル制御部３０１は、ＧＵＩ上のフォーカスの移動やページ移動といったカーソル移動処理（ステップＳ８０９）を行う。
【００５６】
そして、カーソル移動処理によって、表示対象画像が変更になった場合（ステップＳ８１０のＹｅｓ）、ステップＳ８０４へ遷移し、表示対象画像が変更されていない場合は（ステップＳ８１０のＮｏ）、イベント待ち状態（ステップＳ８０７）へ遷移する。また、クレードル制御部３０１は、終了イベントを受け付けると（ステップＳ８１１）、処理を終了する。
【００５７】
図９に、上記ステップＳ８０６において表示出力した画像の表示例を示す。
【００５８】
図９において、テレビジョン１０３の画面９００には、接続中のカメラの画像を表示するための表示領域９０１が表示される。表示領域９０１の上部には、該表示領域９０１に表示中の画像群を説明するタイトルが表示されるタブ９１０が配置される。この例では、表示領域９０１に画像１から画像９までの９枚の画像が表示されており、このうちの画像１がフォーカスされている状態を示している。フォーカスされた画像１の周囲には、フォーカス枠９０２が表示される。
【００５９】
この状態で、リモコン４００の上キー４０３、左キー４０４、右キー４０６、下キー４０７の操作によりフォーカス枠９０２を移動させることが可能である。また、フォーカス枠９０２が最上位の画像より上、又は最上位の画像より下に移動させられると、次のページへジャンプして、新たな９枚の画像が表示される。
【００６０】
リモコン４００の決定キー４０５を押下すると、現在フォーカスされている画像の拡大表示が行われる。リモコン４００の消去ボタン４０１を押下すると、現在フォーカスされている画像が外部記憶装置１０４から消去される。このように、本実施形態では、リモコン４００を用いて画像の管理をおこなうことが可能である。したがって、ユーザは普段から使い慣れたリモコンを操作して容易に画像を管理できる。
【００６１】
＜外部画像表示処理（未接続状態）＞
次に、図１０を参照して、クレードル制御部３０１によるカメラ未接続時の外部画像表示処理について説明する。図１０において、ステップＳＡ００の外部画像表示処理は図５のステップＳ５０３における処理の詳細を表している。
【００６２】
まず、クレードル制御部３０１は、登録カメラ管理部３０２よりクレードル１０１に登録済みのデジタルカメラ１０２のカメラＩＤの一覧を取得する（ステップＳＡ０１）。次に、クレードル制御部３０１は、取得したカメラＩＤをキーにして外部画像管理部３０４よりカメラＩＤ毎の画像一覧を取得する（ステップＳＡ０２）。次に、クレードル制御部３０１は、取得したカメラ毎（撮像装置毎）の画像一覧から、ＴＣＰ／ＩＰ制御部３０６を用いてアクセス可能な画像を確認し、カメラ毎の表示画像リストを作成する（ステップＳＡ０３）。
【００６３】
次に、クレードル制御部３０１は、ＧＵＩ制御部３０９を用いて、画面表示のレイアウトを構築し、表示対象画像を決定する（ステップＳＡ０４）。これ以降、ステップＳＡ０４からステップＳＡ１１までの処理の流れは、図８のステップＳ８０４からステップＳ８１１までの処理と同じであるため説明を省略する。
【００６４】
図１１に、ステップＳＡ０６において表示出力した画像の表示例を示す。
【００６５】
図１１において、テレビジョン１０３の画面９００には、接続中のカメラの画像を表示するための表示領域９０１が表示される。表示領域９０１の上部には、カメラＡの画像を表示する表示領域のためのタブ９１０、カメラＡとは別のカメラＢの画像を表示する表示領域のためのタブ９２０、カメラＡ，Ｂとは別のカメラＣの画像を表示する表示領域のためのタブ９３０が表示される。
【００６６】
また、タブ９３０の側部には、カメラＡ，Ｂ、Ｃとは別のカメラの画像を表示するタブが選択可能であることを示すアイコン９４０が表示される。タブ９１０、９２０、９３０の中から選択されたタブの表示が表示領域９０１に表示される。この例では、カメラＡ、Ｂ、Ｃ、・・・の順でタブが並んでいる。このように表示することで、ユーザは複数のカメラに記憶された画像を、カメラ別に容易に閲覧することができる。このタブの順序は、クレードル１０１に登録済みのカメラのうちで、接続した時期の新しいもの順に並べられる。従って、カメラＡが最も近い時期に接続されたカメラであることを示している。
【００６７】
表示領域９０１には、選択されたタブの画像１から画像９までの９枚の画像が表示されており、このうち画像１がフォーカスされている状態を示している。フォーカスされた画像１の周囲には、フォーカス枠９０２が表示される。
【００６８】
この状態で、リモコン４００の上キー４０３、左キー４０４、右キー４０６、下キー４０７の操作によりフォーカス枠９０２を移動させることが可能である。また、フォーカス枠９０２が最上位の画像より上、又は最上位の画像より下に移動させられると、次のページへジャンプして、新たな９枚の画像が表示される。
【００６９】
リモコン４００の決定キー４０５を押下すると、現在フォーカスされている画像の拡大表示が行われる。リモコン４００の消去ボタン４０１を押下すると、現在フォーカスされている画像が外部記憶装置１０４から消去される。
【００７０】
また、フォーカス枠９０２がページの先頭へ来ているときにさらに上へ移動させられると、タブ９１０、９２０、９３０の選択が可能となる。
【００７１】
＜カメラ内部画像表示処理（未登録カメラ）＞
次に、図１２を参照して、クレードル制御部３０１による未登録カメラのカメラ内画像表示処理について説明する。図１２において、ステップＳＢ００のカメラ内画像表示処理は図５のステップＳ５３６における処理の詳細を表している。
【００７２】
まず、クレードル制御部３０１は、ＰＴＰ制御部３０７を用いて接続中のデジタルカメラ１０２の内部記憶領域に格納されている画像一覧を取得する（ステップＳＢ０１）。次に、クレードル制御部３０１は、取得したカメラ内部の画像一覧から、ＰＴＰ制御部３０７を用いてアクセス可能な画像を確認し、表示画像リストを作成する（ステップＳＢ０２）。
【００７３】
次に、クレードル制御部３０１は、ＧＵＩ制御部３０９を用いて、画面表示のレイアウトを構築し、表示対象画像を決定する（ステップＳＢ０３）。次に、クレードル制御部３０１は、表示対象画像の画像データをＰＴＰ制御部３０７を用いて接続中のデジタルカメラ１０２より取得する（ステップＳＢ０４）。例えば、３×３の表示であれば９枚の画像を表示対象画像とし、この９枚の画像を取得する。次に、クレードル制御部３０１は、取得した表示画像データを画像表示制御部３０８を用いて表示すると共に、ＧＵＩ制御部３０９を用いてＧＵＩの表示も行う（ステップＳＢ０５）。このように、未登録のカメラの場合は、カメラから直接画像を取得することにより、テレビジョン１０３に画像を表示することが可能となる。
【００７４】
ここで、クレードル制御部３０１は、外部イベント待ち状態となる（ステップＳＢ０７）。これ以降、ステップＳＢ０７からステップＳＢ１１までの処理の流れは、図８のステップＳ８０７からステップＳ８１１までの処理と同じであるため説明を省略する。
【００７５】
図１３に、ステップＳＢ０５において表示出力した画像の表示例を示す。
【００７６】
図１３において、テレビジョン１０３の画面９００には、接続中のカメラの画像を表示するための表示領域９０１が表示される。表示領域９０１の上部には、該表示領域９０１に表示中の画像群を説明するタイトルが表示されるタブ９１０が配置される。この例では、表示領域９０１に画像１から画像９までの９枚の画像が表示されており、これらのうちの画像１がフォーカスされている状態を示している。
【００７７】
フォーカスされた画像１の周囲には、フォーカス枠９０２が表示される。また、表示領域９０１の画像１から画像９までの９枚の画像は、影９０５が付加された状態で表示されている。この影９０５は、表示画像がデジタルカメラ１０２の内部記憶領域にある画像であることを示すためのものである。
【００７８】
この状態で、リモコン４００の上キー４０３、左キー４０４、右キー４０６、下キー４０７の操作によりフォーカス枠９０２を移動させることが可能である。また、フォーカス枠９０２が最上位の画像より上、又は最上位の画像より下に移動させられると、次のページへジャンプして、新たな９枚の画像が表示される。
【００７９】
リモコン４００の決定キー４０５を押下すると、現在フォーカスされている画像の拡大表示が行われる。リモコン４００の消去ボタン４０１を押下すると、現在フォーカスされている画像が外部記憶装置１０４から消去される。
【００８０】
＜カメラ内画像及び外部画像の表示処理＞
次に、図１４を参照して、クレードル制御部３０１によるカメラ接続時のカメラ内画像及び外部画像の表示処理について説明する。図１４において、ステップＳＣ００のカメラ内画像及び外部画像の表示処理は図５のステップＳ５２３における処理の詳細を表している。
【００８１】
まず、クレードル制御部３０１は、クレードル１０１に現在セットされているデジタルカメラ１０２のカメラＩＤを接続カメラ管理部３０３より取得する（ステップＳＣ０１）。次に、クレードル制御部３０１は、取得したカメラＩＤをキーにして外部画像管理部３０４よりデジタルカメラ１０２の外部画像一覧を取得する（ステップＳＣ０２）。次に、クレードル制御部３０１は、ＰＴＰ制御部３０７を用いて接続中のデジタルカメラ１０２の内部記憶領域に格納されている内部画像一覧を取得する（ステップＳＣ０３）。
【００８２】
次に、クレードル制御部３０１は、取得したデジタルカメラ１０２の外部画像の一覧から、ＴＣＰ／ＩＰ制御部３０６を用いてアクセス可能な外部画像を確認する。また、クレードル制御部３０１は、取得したデジタルカメラ１０２の内部画像一覧から、ＰＴＰ制御部３０７を用いてアクセス可能なカメラ内部画像を確認し、表示画像リストを作成する（ステップＳＣ０４）。
【００８３】
次に、クレードル制御部３０１は、ＧＵＩ制御部３０９を用いて、画面表示のレイアウトを構築し、表示対象画像を決定する（ステップＳＣ０５）。また、クレードル制御部３０１は、表示対象画像の画像データのうち、外部画像一覧にある画像に関してはＴＣＰ／ＩＰ制御部３０６を用いて外部記憶装置１０４より取得する。さらに、クレードル制御部３０１は、内部画像一覧にある画像に関してはＰＴＰ制御部３０７を用いて接続中のデジタルカメラ１０２より取得する（ステップＳＣ０６）。例えば、３×３の表示であれば９枚の画像を表示対象画像とし、この９枚の画像を取得する。
【００８４】
次に、クレードル制御部３０１は、取得した表示画像データを、画像表示制御部３０８を用いて表示すると共に、ＧＵＩ制御部３０９を用いてＧＵＩの表示も行う（ステップＳＣ０７）。
【００８５】
ここで、クレードル制御部３０１は、外部イベント待ち状態となる（ステップＳＣ０８）。これ以降、ステップＳＣ０８からステップＳＣ１２までの処理の流れは、図８のステップＳ８０７からステップＳ８１１までの処理と同じであるため説明を省略する。
【００８６】
図１５に、ステップＳＣ０７において表示出力した画像の表示例を示す。
【００８７】
図１５において、テレビジョン１０３の画面９００には、接続中のカメラの画像を表示するための表示領域９０１が表示される。表示領域９０１の上部には、該表示領域９０１に表示中の画像群を説明するタイトルが表示されるタブ９１０が配置される。この例では、表示領域９０１に画像１から画像９までの９枚の画像が表示されており、これらのうちの画像１がフォーカスされている状態を示している。
【００８８】
フォーカスされた画像１の周囲には、フォーカス枠９０２が表示される。また、表示領域９０１の画像のうち、画像１、２、４、７、９の５枚の画像は、影９０５が付加された状態で表示されている。この影９０５は、表示画像がデジタルカメラ１０２の内部記憶領域内にある画像であることを示すものである。また、画像３、５、６、８は影９０５が付加されていない状態で表示されており、外部記憶装置１０４の記憶領域にある画像であることを示している。これらの表示画像は、撮影時刻、ファイル名、画像タイトル等の画像属性情報の順序に従って表示される。
【００８９】
このように、デジタルカメラ１０２内に記憶されている画像と外部記憶装置１０４を混在して表示することにより、画像の一括した管理が可能となる。また、デジタルカメラ１０２内に記憶されている画像と外部記憶装置１０４に記憶されている画像とを識別可能に表示することにより、ユーザは各画像の記憶されている場所を容易に把握することができる。
【００９０】
この状態で、リモコン４００の上キー４０３、左キー４０４、右キー４０６、下キー４０７の操作によりフォーカス枠９０２を移動させることが可能である。また、フォーカス枠９０２が最上位の画像より上、又は最上位の画像より下に移動させられると、次のページへジャンプして、新たな９枚の画像が表示される。
【００９１】
リモコン４００の決定キー４０５を押下すると、現在フォーカスされている画像の拡大表示が行われる。リモコン４００の消去ボタン４０１を押下すると、現在フォーカスされている画像が外部記憶装置１０４から消去される。
【００９２】
図１６に、上記ステップＳＣ０７において表示出力した画像の他の表示例を示す。
【００９３】
図１６において、テレビジョン１０３の画面９００には、接続中のカメラの画像を表示するための表示領域９０１が表示される。表示領域９０１の上部には、カメラの内部画像及び外部画像の表示を選択的に切り替えることができるタブ９５０，９６０が表示されている。
【００９４】
タブ９５０を選択するとカメラＡの内部画像が表示領域９０１に表示され、タブ９６０を選択するとカメラＡの外部画像が表示領域９０１に表示される。図１６の例では、カメラＡの内部画像がタブ９５０で選択されている状態であり、カメラＡの内部画像である画像１から画像９が表示領域９０１に表示されている状態を表している。これら表示画像は、撮影時刻、ファイル名、画像タイトル等の画像属性情報の順序に従って表示される。
【００９５】
以上説明したように、本実施形態では、デジタルカメラ１０２がクレードル１０１にセットされていない状態で表示ボタン１１１を押下することにより、外部記憶装置１０４に格納された登録済みカメラの撮影画像をテレビジョン１０３に表示することができる。この場合の表示画像は、クレードル１０１に登録済みのカメラのうちで、接続した時期の新しいもの順に並べて表示することができる。
【００９６】
また、未登録のデジタルカメラ１０２がクレードル１０１にセットされた状態で表示ボタン１１１を押下することにより、デジタルカメラ１０２内の記憶領域に格納されている画像をテレビジョン１０３に表示することができる。
【００９７】
更に、登録済みカメラ１０２がクレードル１０１にセットされた状態で表示ボタン１１１を押下することで、外部記憶装置１０４に格納されたデジタルカメラ１０２の撮影画像とデジタルカメラ１０２内の記憶領域に格納された画像とをテレビジョン１０３に表示することができる。
【００９８】
なお、上記実施形態では、登録済みカメラ１０２がクレードル１０１にセットされた状態においては、カメラの内部画像と外部記憶装置の画像との両方を表示可能としたが、これに代えて、外部記憶装置の画像のみを表示しても良い。
【００９９】
また、上記実施形態では、外部記憶装置は無線ＬＡＮを使用してネットワークを介してクレードルと接続しているが、この外部記憶装置は、ＬＡＮの内部にあるＰＣやＨＤＤ等の装置でも良いし、ＬＡＮの外部のインターネットに接続されたサーバでも良い。また、外部記憶装置は、いわゆるネットワークフォトストレージサービス等を利用して、特定のプロトコルで接続することによって実現しても良い。
【０１００】
（第２の実施形態）
次に、図１７を参照して、本発明の第２の実施形態である画像表示制御装置について説明する。本実施形態では、クレードル１０１とネットワーク上のサーバに設けられた登録カメラ管理手段とのシステムによって画像表示制御装置を構成する。
【０１０１】
本実施形態では、複数のクレードル１０１で登録カメラの情報を共有する。また、ネットワーク上のサーバに設けられた登録カメラ管理手段１２０が、外部記憶装置１０４の記憶領域に格納されている複数のデジタルカメラ１０２のカメラ属性情報を管理する。このように、登録カメラ管理手段１２０をネットワーク上のサーバに持たせることにより、複数のクレードル１０１間で外部記憶装置１０４に格納された画像の表示を実現する。
【０１０２】
なお、図１７のシステム構成において、登録カメラ管理手段１２０以外は図１と同様である。また、本実施形態のクレードル１０１の内部構成は図２と同様であり、本実施形態のクレードル１０１内のＣＰＵ２０５で動作するクレードル制御ソフトウェアの内部構造は図３と同様である。
【０１０３】
また、本実施形態におけるクレードル制御部３０１の処理は、既に図５で説明した処理と基本的には同等であるが、一部の内部処理に違いがあるために、その違いについて以下に説明する。
【０１０４】
本実施形態では、登録カメラ管理部３０２の処理が異なる。登録カメラ管理部３０２は、クレードル制御部３０１に対して、カメラＩＤをキーにした登録カメラの問い合わせ、登録カメラの一覧の取得、カメラの新規登録の機能を提供する。
【０１０５】
これらの機能を実現するに当たって、本実施形態においては、登録カメラ管理部３０２は、ＴＣＰ／ＩＰ制御部３０６を用いてネットワークのサーバ上に構築されている登録カメラ管理手段１２０にアクセスする。
【０１０６】
次に、本実施形態におけるクレードル制御部３０１の処理について説明する。本実施形態では、基本的には既に説明した図５及び図６の処理と同様であるが、図５のカメラＩＤの判定処理（ステップＳ５０４）及び図６のカメラＩＤ登録処理（ステップＳ６０３）が相違する。
【０１０７】
即ち、本実施形態では、図５のステップＳ５０４において、登録カメラ管理部３０２で初めて接続されたデジタルカメラ１０２であると判定された場合、外部の登録カメラ管理手段１２０に対して登録済みカメラか否かの問い合わせを行う。
【０１０８】
また、本実施形態では、図６のステップＳ６０３において、ステップＳ６０２で取得したカメラＩＤは、外部の登録カメラ管理手段１２０に対してデジタルカメラ１０２の新規登録を依頼する。
【０１０９】
以上により、デジタルカメラ１０２の撮影画像で外部記憶装置１０４の記憶領域に格納されている画像を、クレードル１０１を特定することなく、任意のクレードル１０１からテレビジョン１０３に表示出力することが可能となる。
【０１１０】
これにより、例えば、デジタルカメラ１０２の所有者が自宅以外の場所にあるクレードルに自分のカメラをセットしたときに、自分のカメラで過去に撮影した画像を外部記憶装置１０４から呼び出してテレビジョン１０３に表示することが可能となる。
【０１１１】
また、写真店等のプリント指定装置（所謂キオスク端末）にこのクレードル機能を搭載すれば、任意のプリント指定装置にカメラをセットすることで、そのカメラで過去に撮影した画像で外部記憶装置に格納された画像を呼びだして、印刷指定をすることができる。
【０１１２】
なお、本発明は上記実施形態に例示したものに限定されるものではなく、本発明の要旨を逸脱しない範囲において適宜変更可能である。
【０１１３】
例えば、上記実施形態では、クレードル１０１とテレビジョン１０３とは、コンポジット，Ｓ端子，Ｄ端子等のアナログ信号またはＨＤＭＩ等のデジタル信号のケーブル１１５で接続されている。しかし、これに代えて、ＤＬＮＡ等のネットワークプロトコルを利用して接続してテレビジョン１０３に画像を表示しても良い。この場合、テレビジョン１０３は、ＤＬＮＡ対応のメディアレンダラー機能を持つテレビジョンであり、クレードル１０１は、表示画像管理部３０５としてＤＬＮＡのメディアサーバとしての機能を持つことになる。メディアコントローラー機能は、クレードル１０１又はテレビジョン１０３が持つことになる。
【０１１４】
また、上記実施形態では、クレードル１０１と外部のネットワークは無線ＬＡＮで接続されているが、これに代えて有線ＬＡＮ、携帯電話、ＰＨＳ等の無線サービス、ＣＡＴＶによるインターネット接続サービス等を利用しても良い。
【０１１５】
更に、上記実施形態では、クレードル１０１とデジタルカメラ１０２との接続にＵＳＢを用いたＰＴＰプロトコルを使用している。しかし、これに代えて、ＵＳＢマスストレージクラス等のプロトコルや、ブルートゥース、ワイヤレスＵＳＢ等の無線プロトコルを用いてもよい。
【０１１６】
更に、クレードル１０１に電源供給のための端子を設けて、デジタルカメラ１０２と接続状態でデジタルカメラ１０２に内蔵の二次電池を充電するための充電回路を構成してもよい。
【０１１７】
また、本発明の目的は、以下の処理を実行することによって達成される。即ち、上述した実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【０１１８】
この場合、記憶媒体から読み出されたプログラムコード自体が前述した実施の形態の機能を実現することになり、そのプログラムコード及び該プログラムコードを記憶した記憶媒体は本発明を構成することになる。
【０１１９】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【０１２０】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１２１】
更に、前述した実施形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【０１２２】
【図１】本発明の第１の実施形態であるクレードル（画像表示制御装置）を説明するための説明図である。
【図２】クレードルの内部構成を説明するためのブロック図である。
【図３】クレードルを制御するソフトウェアの構成を説明するためのブロック図である。
【図４】リモコンの外観図である。
【図５】クレードル制御部の処理例について説明するためのフローチャート図である。
【図６】クレードル制御部によるカメラ登録処理について説明するためのフローチャート図である。
【図７】クレードル制御部によるカメラ内画像転送処理について説明するためのフローチャート図である。
【図８】クレードル制御部によるカメラ接続状態での外部画像表示処理について説明するためのフローチャート図である。
【図９】図８のステップＳ８０６において表示出力した画像の表示例を示す図である。
【図１０】クレードル制御部によるカメラ未接続時の外部画像表示処理について説明するためのフローチャート図である。
【図１１】図１０のステップＳＡ０６において表示出力した画像の表示例を示す図である。
【図１２】クレードル制御部による未登録カメラのカメラ内画像表示処理について説明するためのフローチャート図である。
【図１３】図１２のステップＳＢ０５において表示出力した画像の表示例を示す図である。
【図１４】クレードル制御部によるカメラ接続時のカメラ内画像及び外部画像の表示処理について説明するためのフローチャート図である。
【図１５】図１４のステップＳＣ０７において表示出力した画像の表示例を示す図である。
【図１６】図１４のステップＳＣ０７において表示出力した画像の他の表示例を示す図である。
【図１７】本発明の第２の実施形態である画像表示制御装置について説明するための説明図である。
【符号の説明】
【０１２３】
１０１  クレードル
１０２  デジタルカメラ
１０３  テレビジョン
１０４  外部記憶装置
１１１  表示ボタン
１１２  登録ボタン
１１３  転送ボタン
１１４  無線アンテナ
１２０  登録カメラ管理手段
２０１  システムバス
２０２  ＤＭＡＣ
２０３  ＤＲＡＭ
２０４  フラッシュＲＯＭ
２０５  ＣＰＵ
２０６  表示制御部
２０７  カメラ通信制御部
２０８  ネットワーク通信制御部
２０９  信号入出力部
２１０  表示出力部
２１１  通信コネクタ
３０１  クレードル制御部
３０２  登録カメラ管理部
３０３  接続カメラ管理部
３０４  外部画像管理部
３０５  表示画像管理部
３０６  ＴＣＰ／ＩＰ制御部
３０７  ＰＴＰ制御部
３０８  画像表示制御部
３０９  ＧＵＩ制御部
３１０  入出力部
３１１  無線ＬＡＮドライバ
３１２  ＵＳＢドライバ
３１３  ビデオドライバ
３１４  ＬＥＤドライバ
３１５  Ｋｅｙドライバ
３２１  無線ＬＡＮコントローラ
３２２  ＵＳＢコントローラ
３２３  ビデオコントローラ
３２４  ＰＩＯ
４００  リモコン
【図１】
0005241220.tif 000002
【図２】
0005241220.tif 000003
【図３】
0005241220.tif 000004
【図４】
0005241220.tif 000005
【図５】
0005241220.tif 000006
【図６】
0005241220.tif 000007
【図７】
0005241220.tif 000008
【図８】
0005241220.tif 000009
【図９】
0005241220.tif 000010
【図１０】
0005241220.tif 000011
【図１１】
0005241220.tif 000012
【図１２】
0005241220.tif 000013
【図１３】
0005241220.tif 000014
【図１４】
0005241220.tif 000015
【図１５】
0005241220.tif 000016
【図１６】
0005241220.tif 000017
【図１７】
0005241220.tif 000018